(57)【特許請求の範囲】
【請求項１】
軸状の中心電極（３）と、その外側を覆う軸状の絶縁体（２）と、両端が開放する筒状に形成され、前記絶縁体（２）の外側に配置される主体金具（１）と、一端が前記主体金具（１）に結合され他端が前記中心電極（３）と対向して火花放電ギャップ（ｇ）を形成する接地電極（４）とを備えたスパークプラグにおいて、
前記主体金具（１）の外周面には、取付ねじ部（７）と該取付ねじ部（７）を内燃機関側の取付ねじ孔にねじ込むための工具係合部（１ｅ）とが形成されるとともに、該工具係合部（１ｅ）の対辺寸法Σが１４ｍｍ以下であり、
前記絶縁体（２）の軸線方向において火花放電ギャップ（ｇ）の形成される側を前方側、これと反対側を後方側として、該絶縁体（２）には、前記主体金具（１）内に位置するとともに外周面から半径方向外向きに突出するダイヤ部（２ｅ）と、円筒面状の外周面を有するとともに前記ダイヤ部（２ｅ）の前記軸線方向前方側に隣接して形成され、前記主体金具（４）の内周面に形成された主体金具側係合部（１ｃ）に前端部が係合する中胴部（２ｇ）とが形成され、
前記軸線と平行な投影面に対する正射投影において、前記ダイヤ部（２ｅ）と前記中胴部（２ｇ）との接続位置には、前記ダイヤ部（２ｅ）側から前記中胴部（２ｇ）側に向けて縮径する形態で、外周面が傾斜直線状をなす傾斜部（２ｊ）が形成されてなり、さらに、該傾斜部（２ｊ）の外周面と前記中胴部（２ｇ）の外周面との各々の延長の交差位置には、両延長のなす谷状の空間を埋める形態にて肉盛部（２ｋ）が形成され、かつ前記肉盛部（２ｋ）の外周面と前記傾斜部（２ｊ）の外周面の接続点Ａと、同じく前記中胴部（２ｇ）の外周面との接続点ｃとを結ぶ直線を基準線として、前記肉盛部（２ｋ）の外周面が該基準線と同位置となるように形成されてなり、さらに、前記傾斜部（２ｊ）の外周面と前記中胴部（２ｇ）の外周面の各々の延長の交差点を第二交差点ｎとした場合に、前記接続点ｃから当該第二交差点ｎに至る距離Ｐが、前記肉盛部（２ｋ）の半径方向幅よりも長いことを特徴とするスパークプラグ。
【請求項２】
前記肉盛部（２ｋ）の外周面には、前記傾斜部（２ｊ）の外周面と及び前記中胴部（２ｇ）の外周面との各接続端位置に凹状のアール部が形成されてなる請求項１記載のスパークプラグ。
【請求項３】
前記傾斜部（２ｊ）の外周面幅が０．３ｍｍ以上３ｍｍ以下であり、かつ、前記正射投影において、前記軸線と直交する平面と前記傾斜部（２ｊ）の外周面とのなす角度Ｑが６０゜以下である請求項１又は２のいずれか１項に記載のスパークプラグ。
【請求項４】
前記主体金具（１）の外周面において、前記工具係合部（１ｅ）と前記取付ねじ部（７）との間にはフランジ状の取付座部（１ｇ）が形成され、
前記正射投影において、前記ダイヤ部（２ｅ）の円筒面状の外周面の延長と前記傾斜部（２ｊ）の外周面の延長との交差点を第一交差点Ｊとし、前記傾斜部（２ｊ）の外周面と前記中胴部（２ｇ）の外周面との各々の延長の交差点を第二交差点ｎとし、前記肉盛部（２ｋ）の外周面と前記中胴部（２ｇ）の外周面との接続点を第一接続点ｃとし、前記軸線方向において、前記取付座部（１ｇ）の前端面（１ｉ）から前記第二交差点ｎに至る距離をＷとし、前記第一接続点ｃから前記第二交差点ｎに至る距離をＰ、前記第二交差点ｎから前記第一交差点Ｊに至る距離をＣとして、
Ｗ≧Ｐ≧０．５Ｃ
を充足する請求項１ないし３のいずれか１項に記載のスパークプラグ。
【請求項５】
前記中胴部（２ｇ）の外径が５ｍｍ以上８ｍｍ以下である請求項１ないし４のいずれか１項に記載のスパークプラグ。
【発明の詳細な説明】
【０００１】
【発明の属する技術分野】
本発明は内燃機関用のスパークプラグとその製造方法に関する。
【０００２】
【従来の技術】
内燃機関、例えば自動車用等のガソリンエンジンの点火に使用されるスパークプラグは、中心電極の外側に絶縁体が、さらにその外側に主体金具が設けられ、中心電極との間に火花放電ギャップを形成する接地電極がその主体金具に取り付けられた構造を有する。そして、主体金具の外周面に形成された取付ねじ部により、エンジンのシリンダヘッドに取り付けて使用される。火花放電ギャップを形成する電極部分は、エンジン作動中は燃焼混合ガスにさらされるため、かなりの高温となる。
【０００３】
近年では、自動車等に使用される内燃機関の高出力化に伴い、燃焼室内における吸気及び排気バルブの占有面積も拡大してきている。そのため、混合気に点火するためのスパークプラグはその小型化が必要とされている上、ターボチャージャー等の過給装置等により、燃焼室内の温度もますます上昇する傾向にある。また、このような苛酷な使用状況下においてもスパークプラグの寿命を十分に確保するには、電極部分の放熱（熱引き）を十分に図ることが必要である。スパークプラグの熱は各種経路にて放出されるが、特に絶縁体から主体金具の取付ねじ部を経てシリンダヘッドへ逃げる経路が熱流量も大きく、放熱を確保する上で重要な役割を果たす。そこで、この取付ねじ部の長さ（ねじリーチ）をさらに長くすることにより、スパークプラグの放熱性能を改善する試みがなされている。ねじリーチが長くなれば、主体金具内部に配置される絶縁体の長さも当然長くなる。
【０００４】
また、スパークプラグの主体金具に関しては、取付ねじ部以外の部分、具体的には、取付ねじ部よりも上方に突出するレンチ係合のための六角部（工具係合部）の寸法についても、寸法縮小の要求が高まりつつある。これは、個別の点火コイルをスパークプラグの上部に直接取り付けるダイレクトイグニッション方式の採用により、シリンダヘッドの上方空間に余裕がなくなっていることや、あるいは前記したバルブ占有面積の拡大によりプラグホールが小径化している等の事情による。そして、こうした要因により、六角部の対辺寸法は、従来１６ｍｍ以上確保できていたのが、１４ｍｍあるいはそれ以下の寸法への縮小を余儀なくされており、絶縁体の細径化がさらに助長される傾向にある。
【０００５】
【発明が解決しようとする課題】
上記のように絶縁体の細径化と軸方向の長大化を図った場合、絶縁体に対し軸線と交差する向きに衝撃等が加わると、折損等の不具合が生じやすくなる。一般的な構造のスパークプラグにおいては、絶縁体の外周面にダイヤ部と呼ばれるフランジ状の突出部を設け、主体金具は、その後端部をこのダイヤ部に向けて加締めることにより組みつけられている。このフランジ状のダイヤ部の端面内周縁位置には、周方向に沿って谷状部が形成されるが、この谷状部は切欠き効果により特に応力集中しやすい傾向にある。そして、このダイヤ部は、主体金具の六角部（工具係合部）に比較的近い位置形成される関係上、六角部の寸法縮小による細径化の影響を特に受けやすい。従って、取付ねじ部をエンジンヘッド側にねじ込む際に、主体金具を介して絶縁体に過度のねじれ力が作用したり、あるいは取付の際にプラグ頭部に衝撃が加わったりすると、細径で長大な絶縁体形状では、曲げモーメントの増大と断面積減少との両側面から、折損等の不具合が特に生じやすくなる問題がある。
【０００６】
本発明の課題は、工具係合部の寸法縮小に伴い細径化した絶縁体を使用しつつも、スパークプラグ取付時や、その他の外的要因により衝撃などが加わった場合に、絶縁体の折損を効果的に防止できるスパークプラグを提供することにある。
【０００７】
【課題を解決するための手段及び作用・効果】
本発明のスパークプラグは、軸状の中心電極（３）と、その外側を覆う軸状の絶縁体（２）と、両端が開放する筒状に形成され、絶縁体（２）の外側に配置される主体金具（１）と、一端が主体金具（１）に結合され他端が中心電極（３）と対向して火花放電ギャップ（ｇ）を形成する接地電極（４）とを備えたスパークプラグにおいて、上記課題を解決するために、
主体金具（１）の外周面には、取付ねじ部（７）と該取付ねじ部（７）を内燃機関側の取付ねじ孔にねじ込むための工具係合部（１ｅ）とが形成されるとともに、該工具係合部（１ｅ）の対辺寸法が１４ｍｍ以下であり、
絶縁体（２）の軸線方向において火花放電ギャップ（ｇ）の形成される側を前方側、これと反対側を後方側として、該絶縁体（２）には、主体金具（１）内に位置するとともに外周面から半径方向外向きに突出するダイヤ部（２ｅ）と、円筒面状の外周面を有するとともにダイヤ部（２ｅ）の軸線方向前方側に隣接して形成され、主体金具（４）の内周面に形成された主体金具側係合部（１ｃ）に前端部が係合する中胴部（２ｇ）とが形成され、
軸線と平行な投影面に対する正射投影において、ダイヤ部（２ｅ）と中胴部（２ｇ）との接続位置には、ダイヤ部（２ｅ）側から中胴部（２ｇ）側に向けて縮径する形態で、外周面が傾斜直線状をなす傾斜部（２ｊ）が形成されてなり、さらに、該傾斜部（２ｊ）の外周面と中胴部（２ｇ）の外周面との各々の延長の交差位置には、両延長のなす谷状の空間を埋める形態にて肉盛部（２ｋ）が形成されてなり、さらに、傾斜部（２ｊ）の外周面と中胴部（２ｇ）の外周面の各々の延長の交差点を第二交差点ｎとした場合に、接続点ｃから第二交差点ｎに至る距離Ｐが、肉盛部（２ｋ）の半径方向幅よりも長いことを特徴とする。
【０００８】
なお、特許請求の範囲及び本欄（「課題を解決するための手段及び作用・効果」）において、各要件に付与した符号は、添付の図面（図１、図２、図３）の対応部分に付された符号を援用して用いたものであるが、あくまで発明の理解を容易にするために付与したものであり、本発明における各構成要件の概念を何ら限定するものではない。
【０００９】
本発明は、前記した事情により、主体金具（１）に形成された工具係合部（１ｅ）の対辺寸法が１４ｍｍ以下となり、結果的に絶縁体（２）の細径化が余儀なくされたスパークプラグに関するものである。上記スパークプラグの絶縁体（２）において、ダイヤ部（２ｅ）の端面をなす傾斜部（２ｊ）と、中胴部（２ｇ）の外周面との間には、周方向に谷状の空間が形成されるから、プラグ取付時のレンチによる捩じり力や、その他の衝撃力が加わって曲げモーメントが作用すると、応力集中を起こしやすい。しかし、本発明では、傾斜部（２ｊ）の外周面と中胴部（２ｇ）の外周面との各々の延長の交差位置に、該谷状の空間を埋める形態にて肉盛部（２ｋ）を設けたことにより応力集中が回避され、耐折損性等を飛躍的に向上させることができる。
【００１０】
【発明の実施の形態】
以下、本発明の実施の形態を図面に示す実施例を参照して説明する。
図１は、本発明の一実施形態に係るスパークプラグ１００の縦断面図（（ａ））と、その要部の拡大図（（ｂ））である。すなわち、該スパークプラグ１００は、筒状の主体金具１、先端部２ｉが突出するように主体金具１の内側に嵌め込まれた絶縁体２、絶縁体２の内側に設けられた中心電極３、及び主体金具１に一端が溶接等により結合された接地電極４等を備えている。接地電極４と中心電極３との間には火花放電ギャップｇが形成されている。以下、絶縁体２の軸線Ｏの方向において火花放電ギャップｇの形成される側を前方側、これと反対側を後方側とする。
【００１１】
絶縁体２には、その軸断面の中央位置にて軸線方向に自身を貫く貫通孔６が形成されており、その後端部側に端子金具１３が固定され、同じく前端部側に中心電極３が固定されている。また、該貫通孔６内において端子金具１３と中心電極３との間には抵抗体１５が配置されている。この抵抗体１５の両端部は導電性ガラスシール層１６、１７を介して中心電極３と端子金具１３とにそれぞれ電気的に接続されている。端子金具１３の先端部外周面には雄ねじ状の係合部１３ａが形成されており、導電性ガラスシール層１７内に埋没することで結合力の増強が図られている。
【００１２】
絶縁体２は、全体がアルミナ等の絶縁材料により構成されている。絶縁体２の軸線方向中間には、外向きに突出する周方向のダイヤ部２ｅがフランジ状に形成されている。そして絶縁体２には、該ダイヤ部２ｅよりも後方側がこれよりも細径に形成された後方側本体部２ｂとされている。なお、該後方側本体部２ｂの外周面にはコルゲーション２ｃが施されている。一方ダイヤ部２ｅの前方側にはこれよりも細径の中胴部２ｇと、その中胴部２ｇよりさらに細径の先端部２ｉがこの順序で形成されている。
【００１３】
他方、中心電極３の軸断面径は抵抗体１５の軸断面径よりも小さく設定されている。そして、絶縁体２の貫通孔６は、中心電極３を挿通させる略円筒状の第一部分６ａと、その第一部分６ａの後方側（図面上方側）においてこれよりも大径に形成される略円筒状の第二部分６ｂとを有する。端子金具１３と抵抗体１５とは第二部分６ｂ内に収容され、中心電極３は第一部分６ａ内に挿通される。中心電極３の後端部には、その外周面から外向きに突出して電極固定用凸部３ｃが形成されている。そして、上記貫通孔６の第一部分６ａと第二部分６ｂとは、中胴部２ｇ内において互いに接続しており、その接続位置には、中心電極３の電極固定用凸部３ｃを受けるための凸部受け面６ｃがテーパ面あるいはアール面状に形成されている。
【００１４】
また、中胴部２ｇと先端部２ｉとの接続部２ｈの外周面（つまり、中胴部２ｇの前端部）は段付面とされ、これが主体金具１の内面に形成された主体金具側係合部としての凸条部１ｃとリング状の板パッキン（図示せず）を介して係合することにより、軸方向の抜止めがなされている。他方、主体金具１の後方側開口部内面と、絶縁体２の外面との間には、フランジ状のダイヤ部２ｅの後方側周縁と係合するリング状の線パッキン６２が配置され、そのさらに後方側にはタルク等の充填層６１を介してリング状の線パッキン６０が配置されている。そして、絶縁体２を主体金具１に向けて前方側に押し込み、その状態で主体金具１の開口縁をパッキン６０に向けて内側に加締めることにより加締め部１ｄが形成され、主体金具１が絶縁体２に対して固定されている。
【００１５】
次に、主体金具１は、冷間加工に適した鉄系材料、例えば低炭素鋼やＪＩＳＧ３５３９に規定された冷間圧造用炭素鋼線等を素材として円筒状に形成され、スパークプラグ１００のハウジングを構成する。その前端部外周面には、プラグ１００を図示しないエンジンブロックに取り付けるための取付ねじ部７が形成されている。また、その取付ねじ部７よりも後方側において主体金具１の外周面には、周方向に沿うフランジ状の取付座部１ｇが外向きに突出して形成されている。そしてそのさらに後方には薄肉の連結部１ｈを経て、スパークプラグ１００を取付ねじ部７においてシリンダヘッド部側のねじ孔にねじ込むための、スパナやレンチ等の工具を係合させる工具係合部１ｅが、周方向に沿って外向きに突出する形態で形成されている。
【００１６】
工具係合部１ｅは、図２に示すように、軸線Ｏと平行な工具係合面１ｐが、互いに平行なものを１対として、周方向に複数組形成されたものである。図２（ａ）はこのような工具係合面１ｐを３組有する、正六角形状の断面に形成した例である。また、（ｂ）は、２組の正六角形を軸線Ｏの周りに３０゜ずらせて重ね合わせること（以下、ＨＥＸ形状ともいう）により、平行な工具係合面１ｐの対を１２組形成したものである（ＢＩＨＥＸ形状ともいう）。いずれも、正六角形状の断面外形線の対辺間距離にて工具係合部１ｅの対辺寸法Σを表す。上記スパークプラグ１００において、工具係合部１ｅの上記対辺寸法Σは１４ｍｍ以下である。
【００１７】
図１（ｂ）に示すように、軸線Ｏと平行な投影面に対する正射投影において、絶縁体２のダイヤ部２ｅと中胴部２ｇとの接続位置には、ダイヤ部２ｅ側から中胴部２ｇ側に向けて縮径する形態で、外周面が傾斜直線状をなす傾斜部２ｊが形成されている。該傾斜部２ｊと中胴部２ｇとの接続位置、つまり、ダイヤ部の端面内周縁位置には、周方向に沿って谷状部が形成されるが、この谷状部は切欠き効果により特に応力集中しやすい傾向にある。特に、上記のように、工具係合部１ｅの対辺寸法Σ（図２）が１４ｍｍ以下になると、絶縁体２の軸断面積は縮小を余儀なくされ、全体として軸断面積に対して全長の大きい細長い形状を呈するものとなる。従って、工具係合部１ｅにレンチを係合させて締め付けのための捩じり力を強く加えたり、後方側本体部２ｂ等に強い衝撃力が加わったりした場合、絶縁体に作用する曲げモーメントは、寸法が長い分だけ大きくなりやすく、上記の谷状部への応力集中を起こしやすい。
【００１８】
そこで、上記スパークプラグ１００においては、図１（ｂ）に示すように、傾斜部２ｊの外周面と中胴部２ｇの外周面との各々の延長２ｊ’，２ｇ’の交差位置（谷状部）に、両延長２ｊ’，２ｇ’のなす谷状の空間を埋める形態にて、肉盛部２ｋを形成している。これにより、曲げモーメントが大きく作用しても、傾斜部２ｊと中胴部２ｇとの接続位置に過度に応力集中することが回避され、絶縁体２の耐折損性等を飛躍的に向上させることができる。
【００１９】
図５（ａ）は、肉盛部２ｋをさらに拡大して示すものである。肉盛部２ｋの外形線と、傾斜部２ｊ及び中胴部２ｇの各外形線との各交差角度β１，β２は、それらの延長２ｊ’と２ｇ’との交差角度α（つまり、肉盛部２ｋを形成したなかった場合の、切欠き角度に相当する）よりも明らかに大きくなっている。その結果、角度の小さい１箇所の切欠きから、角度の大きい２箇所の切欠きに応力が分散され、耐折損性の向上が図られる。この場合、図５（ｂ）に示すように、上記肉盛部２ｋにおいて、肉盛部２ｋと傾斜部２ｊ及び中胴部２ｇの外周面との各接続点（第一及び第二の接続点）Ａ及びｃにおいて、凹状のアール部Ｒ１，Ｒ２を形成しておくと、第一及び第二の接続点Ａ及びｃに生ずる切欠きへの応力集中がアール付与により緩和され、耐折損性を一層向上させることができる。
【００２０】
次に、肉盛部２ｋを形成することによる耐折損強度をさらに向上させるためには、肉盛部２ｋの形状を以下のようなものとすることが望ましい。すなわち、絶縁体２の軸線Ｏと平行な投影面に対する正射投影において、図５に示すように、肉盛部２ｋの外周面と前記傾斜部２ｊの外周面との接続点Ａと、同じく前記中胴部２ｇの外周面と接続点ｃとを結ぶ直線を基準線ＳＬとして、肉盛部２ｋの外周面を、該基準線ＳＬと同位置か、またはそれよりも半径方向外側に膨出した形状とする。本発明においては、工具係合部１ｅの対辺寸法Σが１４ｍｍ以下と小さいため、ダイヤ部２ｅの半径方向への突出高さも制限される。しかし、上記のように肉盛部２ｋを形成する場合、その半径方向幅をある程度狭くしても耐折損強度向上効果を確保できるので、突出高さの小さいダイヤ部２ｅに対しても十分適用可能である。
【００２１】
上記肉盛部２ｋの形態が特に有効であるのは、具体的には、以下のようなガラスシール工程により、中心電極３と端子金具１３との組付け、及び抵抗体１５と導電性ガラスシール層１６，１７との形成を行なう場合である。まず、絶縁体２の貫通孔６に対し、その第一部分６ａに中心電極３を挿入した後、導電性ガラス粉末及び抵抗体組成物の原料粉末を順次充填し予備圧縮することにより、図６（ａ）に示すように、中心電極３側（前方側）から貫通孔６内に、第一の導電性ガラス粉末層２６、抵抗体組成物粉末層２５及び第二の導電性ガラス粉末層２７を積層した状態とする。そして、貫通孔６に端子金具１３を上方から配置した組立体ＰＡを形成する。この状態で加熱炉に挿入してガラス軟化点以上である８００〜９５０℃の所定温度に加熱し、その後、端子金具１３を貫通孔６内へ中心電極３と反対側から軸方向に圧入して積層状態の各層２５〜２７を軸方向にプレスする。これにより、同図（ｂ）に示すように、各層は圧縮・焼結されてそれぞれ導電性ガラスシール層１６、抵抗体１５及び導電性ガラスシール層１７となる。
【００２２】
このガラスシール工程では、端子金具１３を圧入して積層状態の各層２５〜２７を軸方向にプレスする際に、相当の軸線方向圧力が印加される。そこで、プレスを行なう際に、支持ベースＳＢの挿通孔ＳＨに絶縁体２を前方側から挿入し、挿通孔ＳＨの開口外周縁により、ダイヤ部２ｅの前方側端面を支持させることによりこの圧力を受け止めるようにする。この際、肉盛部２ｋが挿通孔ＳＨの周縁に重なると、肉盛部２ｋがかじられて破損等の原因になるので、肉盛部２ｋは全体が挿通孔ＳＨに位置するように配置しなければならない。
【００２３】
この場合、プレス圧力は全て、肉盛部２ｋの外側に位置する傾斜部２ｊにおいて受け止められるので、該傾斜部２ｊはダイヤ部２ｅの突出高さに関係なく、一定以上の幅を確保する必要がある。従って、ダイヤ部２ｅの突出高さが縮小すると、肉盛部２ｋの幅は減じざるを得ないが、上記の形態をなす肉盛部２ｋは、狭幅であっても耐折損強度を十分に確保できるから、工具係合部１ｅの対辺寸法Σが小さいスパークプラグにも柔軟に対応できる。
【００２４】
図３に示すように、傾斜部２ｊの外周面幅Ｍは、０．３ｍｍ以上３ｍｍ以下とすることが望ましい。Ｍが０．３ｍｍ未満ではガラスシール工程実施時において、シール加圧力を十分に受け止めることができなくなり、３ｍｍを超えると肉盛部２ｋの幅が不足し、耐折損強度向上効果が十分でなくなる。また、軸線Ｏと直交する平面ＡＰと傾斜部２ｊの外周面とのなす角度Ｑは、６０°以下（０゜を含む）とすることが望ましい。Ｑが６０゜を超えるとガラスシール工程実施時において、シール加圧力を十分に受け止めることができなくなる。
【００２５】
また、前記正射投影において、ダイヤ部２ｅの円筒面状の外周面の延長と傾斜部２ｊの外周面の延長との第一交差点をＪ、傾斜部２ｊの外周面と中胴部２ｇの外周の各々の延長の交差点を第二交差点ｎ、肉盛部２ｋの外周面と中胴部２ｇの外周面との接続点を第二接続点ｃとする。また、軸線Ｏ方向において取付座部１ｇの前端面１ｉから交差点ｎに至る距離をＷ、第二接続点ｃから第二交差点ｎに至る距離をＰ、第二交差点ｎから第一交差点Ｊに至る距離をＣとする。このとき、
Ｗ≧Ｐ≧０．５Ｃ  ‥‥(1)
の寸法条件を満たしていることが望ましい。
【００２６】
Ｐは、肉盛部２ｋの軸線Ｏ方向の形成区間長Ｌ２における、中胴部２ｇ側への重なり長を意味する。また、Ｃは、傾斜部２ｊを含むダイヤ部２ｅの前端面の軸線Ｏ方向の長さに相当する。Ｐが０．５Ｃを下回ると、絶縁体２の耐折損強度向上効果が顕著でなくなる場合がある。他方、ＰがＷよりも大きくなることが、肉盛部２ｋが取付座部１ｇの前端面１ｉを超えて、軸線Ｏ方向前方側に延出することを意味する。その結果、取付ねじ部７の後端部（いわゆるねじ首部）７ｆにおいて主体金具１の半径方向肉厚が不足し、捩じり破断強度（以下、ねじ首強度と称する）を十分に確保できなくなる場合がある。例えば、スパークプラグ１００を取り付ける際に、過度の締め付けトルクが作用するとねじ首部７ｆがねじ切れたりする不具合につながる場合がある。
【００２７】
また、絶縁体２は、その中胴部２ｇの外径Ｆが５ｍｍ以上８ｍｍ以下であることが望ましい。Ｆが５ｍｍ未満では肉厚不足により耐折損強度を十分に確保することができなくなる。また、Ｆが８ｍｍを超えると取付ねじ部７の肉厚が不足して、ねじ首強度の低下を招く場合がある。なお、取付ねじ部７は、呼びはＭ１０あるいはＭ１２を適用対象とする場合に、上記傾向が顕著となる。
【００２８】
次に、前述の通り絶縁体２においては、ダイヤ部２ｅの軸線Ｏ方向後方に隣接する形で、ダイヤ部１ｅよりも径小でかつ外周面が円筒面状とされた本体部２ｂが形成されている。ここで、図４に示すように、前記正射投影においてダイヤ部２ｅの円筒面状外周面の両端を結ぶ線分の中点位置をＫ、絶縁体２の外周面の軸線方向における後端位置をＴ、中胴部２ｇの円筒面状の外周面の軸線Ｏ方向における前端位置をＳとする。そして、軸線Ｏ方向において後端位置Ｔから中点位置Ｋに至る距離をＥ、前端位置Ｓから中点位置Ｋに至る距離をＤとし、さらに後方側本体部２ｂの軸断面積（円筒状外周面部分：例えば図中Ｙの位置）をＳ１、絶縁体中胴部２ｇの軸断面積をＳ２（円筒状外周面部分：例えば図中Ｘの位置）としする。このとき、
０．５≦（Ｓ１／Ｅ）／（Ｓ２／Ｄ）≦２ ‥‥(2)
の寸法条件を充足していることが望ましい。
【００２９】
Ｓ１／Ｅは、絶縁体２の、ダイヤ部１ｅの中点よりも後方側に存在する部分（以下、後方突出部という）の長さを、軸断面積Ｓ１に対する相対値にて表示したものであり、数値が小さいほど該部分が細長く突出していることを意味する。他方、Ｓ２／Ｄは、ダイヤ部１ｅの中点よりも前方側に存在する中胴部２ｇの長さを、軸断面積Ｓ２に対する相対値にて表したものである。この両者の比（（Ｓ１／Ｅ）／（Ｓ２／Ｄ））が過度に大きくなって２を超えることは、中胴部２ｇの軸断面積Ｓ２が相対的に不足することと、後方突出部が極度に長くなる結果、該部分に衝撃等が加わったとき、中胴部２ｇとダイヤ部２Ｅとの境界位置に大きな曲げモーメントが加わりやすくなることを意味する。その結果、絶縁体２の耐折損性を十分に確保することが困難となる。他方、上記比が０．５未満になると、後方突出部が逆に短くなりすぎ、フラッシュオーバ等の不具合が生じやすくなる。
【００３０】
なお、図５（ａ）及び（ｂ）では、肉盛部２ｋは、前記正射投影において、外周面が基準線ＳＬと略一致する形態に形成されていたが、図５（ｃ）及び（ｄ）に示すように、基準線ＳＬよりも半径方向外側に突出する凸状形態に肉盛部２ｋを形成してもよい。これにより、絶縁体２の耐折損強度を一層向上させることができる。特に、図５（ｄ）に示すように、肉盛部２ｋの外径線の途中区間に凸状のアール部を形成すること、つまり、凸状の外形線の頂点部分をなだらかなアール状に形成することにより、応力の分散効果をさらに高めることができる他、肉盛部２ｋにおけるチッピング防止（特に、焼成前の成形体の段階）を図る上でも効果的である。
【００３１】
【実施例】
本発明の効果を確認するために、以下の試験を行なった。
（実施例１）
図３及び図４に示す寸法を、以下のように設定したスパークプラグ試験品を作製した（すでに説明済みのパラメータについては、記号のみ示す）。
・中胴部２ｇの外径Ｆ：７．３ｍｍ；
・ダイヤ部１ｅの外径Ｔ：１１ｍｍ；
・角度Ｑ：３０°；
・傾斜部２ｊと肉盛部２ｋとの間に形成されるアール部分と、傾斜部２ｊとの境界位置をａとし、該ａ位置での絶縁体２の外径をＵとしたとき、Ｂ≡（Ｕ−Ｆ）／２の値：０．９ｍｍ；
・断面積Ｓ１：５２ｍｍ２；
・断面積Ｓ２：３０ｍｍ２；
・幅Ｍ：０．６４ｍｍ；
・交差点ｎと交差点Ｊとの軸線方向距離Ｃ：１ｍｍ；
・距離Ｗ＝３ｍｍ（Ｃ／Ｗ＝３である）；
・図４の距離Ｅ：３３ｍｍ；
・同じく距離Ｄ：２１ｍｍ；
・肉盛部２ｋの中胴部２ｇとの軸線方向重なり長さＰ：０．５〜２．９ｍｍ。
【００３２】
上記のように、肉盛部２ｋの長さを種々に調整したスパークプラグを用い、以下の試験を行なった。
▲１▼耐衝撃試験：図７に示すように、各スパークプラグ１００の取付ねじ部７を試験品固定台のねじ孔にねじ込み、絶縁体２の本体部２ｂが上向きに突出するように固定する。そして、その本体部２ｂのさらに上方において、絶縁体２の中心軸線Ｏ上に位置する軸支点に対し、アームを旋回可能に取り付ける。なお、アームの長さは３３０ｍｍであり、絶縁体２の後方側本体部２ｂに降り下ろしたときのアームの先端位置が、絶縁体２の後端面からの鉛直方向距離にして１０ｍｍとなるように、軸支点の位置が定められている。そして、アームの中心軸線Ｏからの旋回角度が所定値となるようにアームの先端を持ち上げて、後方側本体部２ｂに向けて自由落下により降り下ろす操作を、角度間隔２゜にて徐々に大きくしながら繰り返し、絶縁体２に折損が生ずる耐衝撃角度値θを求める。角度θが大きいほど、耐折損性が良好であることを意味する。
【００３３】
▲２▼ねじ首強度試験：スパークプラグをねじブッシュに取り付け、主体金具の取付座部を把持して締め付け方向にねじりトルクを与えるとともに、ねじ首部がねじ切れる限界トルクの値を測定した。
以上の結果を、Ｐ／Ｃに対してプロットした結果を図８に示す。前記した(1)式は、
Ｗ／Ｃ≧Ｐ／Ｃ≧０．５  ‥‥(1)’
と変形することができる。図８の試験結果との対比から、Ｐ／Ｃが０．５以下で耐折損性が良好となり、Ｐ／Ｃが３以下（つまり、Ｗ／Ｃ以下）である場合に、ねじ首強度が良好となることがわかる。
【００３４】
（実施例２）
図３及び図４に示す寸法を、以下のように設定したスパークプラグ試験品を作製した（すでに説明済みのパラメータについては、記号のみ示す）。
・中胴部２ｇの外径Ｆ：７．３ｍｍ；
・ダイヤ部１ｅの外径Ｔ：φ１１ｍｍ；
・角度Ｑ：３０°；
・傾斜部２ｊと肉盛部２ｋとの間に形成されるアール部分と、傾斜部２ｊとの境界位置をａとし、該ａ位置での絶縁体２の外径をＵとしたとき、Ｂ≡（Ｕ−Ｆ）／２の値：０．９ｍｍ；
・断面積Ｓ１：５１．７ｍｍ２；
・断面積Ｓ２：２９．９ｍｍ２；
（以上、（Ｓ１／Ｅ）／（Ｓ２／Ｄ）を０．５〜２．０の間で変化させている）
・幅Ｍ：０．６４ｍｍ；
・交差点ｎと交差点Ｊとの軸線方向距離Ｃ：１．１ｍｍ；
・距離Ｗ＝３ｍｍ（Ｃ／Ｗ＝３である）；
・図４の距離Ｅ：３３ｍｍ；
・同じく距離Ｄ：１０〜４０ｍｍ；
・肉盛部２ｋの中胴部２ｇとの軸線方向重なり長さＰ：０ｍｍ（形状１：比較例）、１．５ｍｍ（形状２：実施例）。
【００３５】
上記のように、（Ｓ１／Ｅ）／（Ｓ２／Ｄ）を種々に調整したスパークプラグを用い、実施例１と同様の耐衝撃試験を行なった。その結果を図９に示す。これによると、肉盛部を形成しない比較例（形状１）では（Ｓ１／Ｅ）／（Ｓ２／Ｄ）が２以下となったとき、耐衝撃角度値θが急激に減少しているのに対し、肉盛部を形成した実施例では、（Ｓ１／Ｅ）／（Ｓ２／Ｄ）が２以下においても耐衝撃角度値θが大きく、耐折損性において比較例品との間に顕著な差を生じていることがわかる。
【図面の簡単な説明】
【図１】本発明の一実施例たるスパークプラグを示す全体縦断面図及び要部の拡大断面図。
【図２】工具取付部の対辺寸法の定義を説明する図。
【図３】図１のスパークプラグの要部における、各部の寸法記号の説明図。
【図４】図１のスパークプラグの全体図における、各部の寸法記号の説明図。
【図５】本発明のスパークプラグの絶縁体に形成する種々の肉盛部形状の例を示す断面図。
【図６】ガラスシール工程の説明図。
【図７】耐衝撃試験の説明図。
【図８】Ｐ／Ｃと耐衝撃角度値及びねじ首強度の関係を示すグラフ。
【図９】（Ｓ１／Ｅ）／（Ｓ２／Ｄ）と耐衝撃角度値の関係を示すグラフ。
【符号の説明】
１００  スパークプラグ
１      主体金具
１ｅ    工具係合部
１ｇ    取付座部
２      絶縁体
２ｇ    中胴部
２ｋ    肉盛部
２ｊ    傾斜部
４      接地電極
ｇ      火花放電ギャップ
２ｂ    後方側本体部
Ｒ１    アール部
Ｒ２    アール部
【図１】
0004323122.tif 000002
【図２】
0004323122.tif 000003
【図３】
0004323122.tif 000004
【図４】
0004323122.tif 000005
【図５】
0004323122.tif 000006
【図６】
0004323122.tif 000007
【図７】
0004323122.tif 000008
【図８】
0004323122.tif 000009
【図９】
0004323122.tif 000010